(57)【特許請求の範囲】
【請求項１】
記録領域と、前記記録領域に隣接して配置されたトラッキング用のガイド構造とを含む記録層を少なくとも備える光記録媒体であって、
前記記録領域は単一の記録領域であり、該記録領域は非記録状態でトラッキングするためのガイド構造を有さず、前記ガイド構造は、前記単一の記録領域に隣接して位置する単一のガイド構造であり、記録状態で、該単一のガイド構造は、光記録媒体上への記録を可能とする単一の記録領域に向けて延びるトラック螺旋または同心トラックを有する、前記光記録媒体。
【請求項２】
前記単一のガイド構造は、リードイン領域の前またはリードイン領域の始めに位置する、請求項１に記載の光記録媒体。
【請求項３】
前記単一のガイド構造はランド／グルーブ構造であり、または事前に記録されたピットを含む、請求項１または２に記載の光記録媒体。
【請求項４】
非記録状態でトラッキングするためのガイド構造を有さない、単一の記録領域とトラッキング用の単一のガイド構造とを含む光記録媒体を製造する方法であって、
基板上に、少なくとも、前記単一の記録領域を含む記録層を付着させるステップと、
前記記録層上に、少なくともカバー層を付着させるステップと、
前記単一の記録領域に隣接して位置する単一のガイド構造であり、記録状態で、光記録媒体上への記録を可能とする単一の記録領域に向けて延びるトラック螺旋または同心トラックを有する単一のガイド構造を形成するステップと、
を有する、前記方法。
【請求項５】
前記単一のガイド構造は、リードイン領域の前またはリードイン領域の始めに形成される、請求項４に記載の方法。
【請求項６】
前記単一のガイド構造は、前記カバー層を付着させる前に成形することによって、または前記カバー層を付着させる前もしくは付着させた後にピット列を記録することによって形成される、請求項４または５に記載の方法。
【請求項７】
前記ピット列は、トラッキングアクチュエータを使用し、前記トラッキングアクチュエータのトラッキングコイルに電圧ランプを印加することによって記録され、前記電圧ランプは、前記光記録媒体の回転中に連続的に増大し、前記電圧ランプは、前記光記録媒体が完全に１回転した後に、前記トラッキングアクチュエータが、前記光記録媒体上の記録光ビームを、トラックピッチの量だけ移動させているように選択される、請求項６に記載の方法。
【請求項８】
非記録状態でトラッキングするためのガイド構造を有さない単一の記録領域とトラッキング用の単一のガイド構造とを含む光記録媒体を製造する装置であって、
−  基板上に、少なくとも、前記単一の記録領域を含む記録層を付着させる手段と、
−  前記記録層上に、少なくともカバー層を付着させる手段と、
−  前記単一の記録領域に隣接して位置する単一のガイド構造であり、記録状態で、光記録媒体上への記録を可能とする、単一の記録領域に向けて延びるトラック螺旋または同心トラックを有する単一のガイド構造を形成する手段と、
を有する、前記装置。
【請求項９】
前記単一のガイド構造を形成する前記手段は、前記カバー層を付着させる前に前記単一のガイド構造を成形する成形手段、または前記カバー層を付着させる前もしくは付着させた後にピット列を記録するレコーダである、請求項８に記載の装置。
【請求項１０】
請求項１に記載の光記録媒体に書き込む方法であって、
少なくとも、主光ビームと、前記主光ビームに結合された別の光ビームとを生成するステップと、
前記別の光ビームで前記単一のガイド構造を照らすステップと、
前記単一のガイド構造によって反射された前記別の光ビームの割合から、前記主光ビームに対するトラッキングエラー信号を生成するステップと、
書き込まれたデータが前記単一のガイド構造の続きを形成するような方式で、前記主光ビームを用いて前記光記録媒体にデータを書き込むステップと
を有する、前記方法。
【請求項１１】
前記光記録媒体上における前記主光ビームと前記別の光ビームの間の距離は、１トラックピッチの整数倍である、請求項１０に記載の方法。
【請求項１２】
請求項１に記載の光記録媒体に書き込む装置であって、
少なくとも、主光ビームと、前記主光ビームに結合された別の光ビームとを生成する手段と、
前記別の光ビームで前記単一のガイド構造を照らす手段と、
前記単一のガイド構造によって反射された前記別の光ビームの割合から、前記主光ビームに対するトラッキングエラー信号を生成する手段と、
書き込まれたデータが前記単一のガイド構造の続きを形成するような方式で、前記主光ビームを用いて前記光記録媒体にデータを書き込む手段と、
を有する、装置。
【請求項１３】
前記光記録媒体上における前記主光ビームと前記別の光ビームの間の距離は、１トラックピッチの整数倍である、請求項１２に記載の装置。
【請求項１４】
記録領域と、前記記録領域に隣接して配置されたトラッキング用のガイド構造とを含む光記録媒体を製造する装置用の型であって、
前記記録領域は単一の記録領域であり、該記録領域は非記録状態でトラッキングするためのガイド構造を有さず、前記ガイド構造は、前記単一の記録領域に隣接して位置する単一のガイド構造であり、記録状態で、該単一のガイド構造は光記録媒体上への記録を可能とする、単一の記録領域に向けて延びるトラック螺旋または同心トラックを有する、前記型。
【発明の詳細な説明】
【技術分野】
【０００１】
本発明は、大部分のプレーヤおよびレコーダ向けの読取り専用光記録媒体の外観を有する記録可能な光記録媒体（ｒｅｃｏｒｄａｂｌｅ  ｏｐｔｉｃａｌ  ｒｅｃｏｒｄｉｎｇ  ｍｅｄｉｕｍ）（以下、記録可能光記録媒体）のフォーマット、ならびに記録可能光記録媒体から読み取り、かつ／または記録可能光記録媒体に書き込むための方法および装置に関する。
【背景技術】
【０００２】
今日、映画、ソフトウェアなどのディジタルデータを光記録媒体に記憶して配布することは、主要な流通経路として確立されている。しかしながら、このことは、要求された大部分の作品を、注文する必要なしに、顧客に直ちに提供することができるように、小売店が、大量の作品を在庫として持っておく必要があることを意味する。
【０００３】
大量の在庫を抱えるこの必要性を低減させるため、オンデマンド製造またはネットワーク経由の配布のためのいくつかの解決策が提案されている。顧客によって作品が要求されたらすぐに、光記録媒体、一般にＤＶＤ（ｄｉｇｉｔａｌ  ｖｅｒｓａｔｉｌｅ  ｄｉｓｋ）に記録する。記録は、小売店に置かれた特殊なレコーダ、キオスク（ｋｉｏｓｋ）型の記録端末、またはネットワークに接続された消費者向けの特殊なレコーダによって実施される。これらの特殊なレコーダは、たとえそれが特別に仕上げられた記録可能なＤＶＤであるとしても、そのＤＶＤが、ＣＳＳで暗号化された（ＣＳＳ−ｅｎｃｒｙｐｔｅｄ）ＤＶＤ−Ｖｉｄｅｏ（ＲＯＭ）ディスクの外観を有するような方法で、記録可能なＤＶＤにデータを書き込むことを可能にする。記録のため、この光記録媒体は、光記録媒体に対して光ピックアップユニットを誘導するためのグルーブ構造を有する。
【０００４】
上述のオンデマンド製造用途の他にも、少なくともいくらかの記録能力を有する事前に記録された光記録媒体（事前記録光記録媒体）に対しては複数の用途が存在する。例えば、事前記録光記録媒体のシリアライゼーション（ｓｅｒｉａｌｉｚａｔｉｏｎ）および認証のためには、事前記録光記録媒体上に記録可能領域が必要である。この記録可能領域は、製造工場でのスタンピング工程の後、事前記録媒体に固有の識別子を追加するために使用される。同様に、ソフトウェアをインストールするときにキーボードから手動で入力しなければならないシリアル番号などの必要なソフトウェアキーの代わりに、事前記録媒体上に記憶された情報を使用することもできる。この情報を認証キーとして使用して、事前記録媒体上に記憶された内容のロックを外すこともできる。
【０００５】
事前記録媒体上の記録可能領域の他の用途は、いわゆるリテールアクティベーション（ｒｅｔａｉｌ  ａｃｔｉｖａｔｏｎ）に関する。この用途によれば、例えば内容の特定の部分が失われているために、製造後に光記録媒体を再生することができない。その代わりに、販売場所で、媒体に必要な変更を加える特殊なレコーダを使用し、例えば失われた内容を追加することによって、媒体を活動化する必要がある。
【０００６】
上述の解決策を追加の流通経路として確立するためには、記録された光記録媒体が、できるだけ多くの標準プレーヤおよびレコーダに適合していなければならない。これは通常、プレーヤに関する問題ではなく、状況はレコーダによって異なる。
【０００７】
光記録媒体上の光スポット（ｌｉｇｈｔ  ｓｐｏｔ）の位置を検出するいくつかの方法が知られている。最も普及している２つの方法は、ＤＰＤ（Ｄｉｆｆｅｒｅｎｔｉａｌ−Ｐｈａｓｅ−Ｄｅｔｅｃｔｉｏｎ。ＲＯＭフォーマットに対して使用されている）およびラジアルプッシュプル（ｒａｄｉａｌ  Ｐｕｓｈ−Ｐｕｌｌ）（ＲＥフォーマットに対して使用されている）である。しかしながら、これらの２つの方法は、隆起した構成、すなわちＲＯＭフォーマットに対するピット（ｐｉｔ）またはＲＥフォーマットに対するランド（ｌａｎｄ）／グルーブ構造を有する基板を必要とする。一般的なランド／グルーブ構造が図２に示されている。
【０００８】
この点に関して、特許文献１は、光記録媒体で使用されるトラッキング（ｔｒａｃｋｉｎｇ）方法および装置を開示している。データの記録時には、隆起したガイドトラック（ｇｕｉｄｅ  ｔｒａｃｋ）を照らす２つの補助ビームを使用して、従来の３ビーム法（ｔｈｒｅｅ−ｂｅａｍ  ｍｅｔｈｏｄ）と同じように、トラッキングを実行する。データの読取り時には、プッシュプル法を使用して、主ビーム（ｍａｉｎ  ｂｅａｍ）によってトラッキングを実行する。
【０００９】
しかしながら、コピー防止機構として、レコーダ内で使用される一部の光ピックアップは、ランド／グルーブ構造から発せられ、記録可能光記録媒体であることを指示するプッシュプル信号が検出されたときに、読取り専用の媒体として指示された光記録媒体からデータを取り出すことを許容しない。このような不適合は回避されなければならない。
【００１０】
特許文献２は、同心のいくつかの記録域に分割された記録面を有する光記録媒体を開示している。連続する記録域間の境界に、いくつかの同心ガイドトラックが形成されている。記録域には、同心のまたは螺旋形の情報トラックが、それぞれのガイドトラックに対して一定のピッチで形成されている。ある記録域の記録中には、それに対応するガイドトラックが、トラッキング光ビームによって読み取られる。記録光ビームは、ガイドトラックから得られたこのトラッキング信号によって制御される。
【００１１】
特許文献３には、特別に設計されたランド／グルーブ構造を有する記録可能光記録媒体が開示されている。この光記録媒体は、波長約４０５ｎｍのレーザを使用して記録され、波長約６５０ｎｍのレーザを使用して読み取られる。この特別に設計されたランド／グルーブ構造は、４０５ｎｍではプッシュプル信号を有することを許容するが、６５０ｎｍでは大幅に低減したプッシュプル信号を有することしか許容しない。
【００１２】
特許文献３で提案されている解決策は、青波長範囲に高い吸収を有し、赤波長範囲に高い反射率を有する新たな材料を使用する必要があるため、ＤＶＤ−ＲＯＭ仕様を満たすのが困難であるという欠点を有する。さらに、記録のためには、青波長範囲の光ビームを発する光源が必要である。このことは、青波長範囲の光ビームで読み取ることが意図された高データ密度記録媒体に対して適用可能な、傾斜（ｔｉｌｔ）、カバー層の厚さ、屈折率などに関するより厳しい仕様を、記録媒体が実質的に満たす必要があることを意味する。最後に、記録されたピット構造は、青波長範囲と赤波長範囲とで異なる特性を示す。したがって、記録後に、赤波長範囲の光ビームを使用して、記録された媒体をチェックする必要がある。
【先行技術文献】
【特許文献】
【００１３】
【特許文献１】ＥＰ  ０  ７４５  ９７８
【特許文献２】米国特許第４，５０７，７６３号明細書
【特許文献３】ＥＰ  １  ９３３  ３１３
【発明の概要】
【００１４】
本発明の目的は、大部分のプレーヤおよびレコーダ向けの読取り専用光記録媒体の外観を有する記録可能な光記録媒体に対する別のフォーマットを提案することにある。
【００１５】
本発明によれば、この目的は、記録領域とトラッキング用のガイド構造とを含む光記録媒体であって、ガイド構造が、記録領域の外の１つまたはいくつかのトラック螺旋（ｔｒａｃｋ  ｓｐｉｒａｌ）または同心トラックの上にだけ延びる光記録媒体によって達成される。
【００１６】
本発明に基づく光記録媒体は、記録領域内の隆起した構成、例えばピットまたはグルーブを必要とせずにトラッキングができるという利点を有する。その結果、この光記録媒体は、読取り専用光記録媒体の外観を有し、大部分のプレーヤおよびレコーダに適合する。同時に、高速記録を可能にする知られている層スタックを使用することができる。さらに、この光記録媒体は、傾斜、カバー層の厚さ、屈折率などに関するより厳しい仕様を満たす必要がない。
【００１７】
有利には、この光記録媒体が、ＤＶＤのような媒体（ＤＶＤ−ｌｉｋｅ  ｍｅｄｉｕｍ）である。今日のＤＶＤは、映画などのオーディオビジュアルデータを運び、提供する十分に定着した媒体である。多くの家庭が既にＤＶＤプレーヤまたはレコーダを所有している。したがって、オンデマンド製造およびネットワーク経由の配布のためにも、この巨大な顧客基盤を利用することが望ましい。さらに、本発明は、ＤＶＤを製造する目的に既に使用されている既存の任意の材料に対して適用可能である。記録速度および機械的な媒体パラメータに関する知られているＤＶＤ仕様が適用可能である。当然ながら、本発明は、任意のタイプの光記録媒体に対して使用可能である。
【００１８】
好ましくは、ガイド構造が、リードイン（ｌｅａｄ  ｉｎ）領域の前またはリードイン領域の始めに位置する。このことは、ガイド構造から発せられ、記録可能光記録媒体であることを指示するプッシュプル信号が記録領域の外にしか存在しないため、この光記録媒体が、大部分のプレーヤおよびレコーダに適合することを保証する。
【００１９】
好都合には、ガイド構造がランド／グルーブ構造であり、または事前に記録されたピットを含む。このように、ガイド構造は、プッシュプルトラッキングなどの知られているトラッキング法を使用して検出可能である。
【００２０】
本発明に基づく光記録媒体に書き込む方法は、
−  少なくとも、主光ビームと、主光ビームに結合された別の光ビームとを生成するステップと、
−  この別の光ビームでガイド構造を照らすステップと、
−  ガイド構造によって反射されたこの別の光ビームの割合（ｆｒａｃｔｉｏｎ）から、主光ビームに対するトラッキングエラー信号（ｔｒａｃｋｉｎｇ  ｅｒｒｏｒ  ｓｉｇｎａｌ）を生成するステップと、
−  書き込まれたデータがガイド構造の続きを形成するような方式で、主光ビームを用いて光記録媒体にデータを書き込むステップと
を有する。
【００２１】
本発明によれば、主光ビームに結合された別の光ビームが生成するトラッキングエラー信号を使用して、主光ビームの位置を制御する。これが必要なのは、主光ビームの位置にガイド構造が存在しないためである。言い換えると、主光ビームは、最初のガイド構造の少なくとも１つのトラックに基づいて、後のトラックのために、それ自体のガイド構造を書き込む。有利には、この別の光ビームが、回折格子によって生成された副ビーム（ｓｉｄｅ  ｂｅａｍ）、ビームスプリッタによって生成された部分ビーム、または追加の光源によって生成された光ビームである。
【００２２】
有利には、光記録媒体上における主光ビームとこの別の光ビームの間の距離が、１トラックピッチの整数倍である。このことは、記録後に、隣接する任意の２つのトラック間の距離が正確に１トラックピッチであることを保証する。
【００２３】
上記の書込み方法を実現するため、本発明に基づく光記録媒体に書き込む装置は、
−  少なくとも、主光ビームと、主光ビームに結合された別の光ビームとを生成する手段と、
−  この別の光ビームでガイド構造を照らす手段と、
−  ガイド構造によって反射されたこの別の光ビームの割合から、主光ビームに対するトラッキングエラー信号を生成する手段と、
−  書き込まれたデータがガイド構造の続きを形成するような方式で、主光ビームを用いて光記録媒体にデータを書き込む手段と
を有する。
【００２４】
少なくとも主光ビームと別の光ビームとを生成する手段は、回折格子、ビームスプリッタまたは追加の光源であることが好ましい。この装置は、実質的に標準ピックアップに対応するという利点を有する。この別の光ビームに対するサーボ電子回路および検出器だけを、この別の光ビームを使用して主光ビームに対するトラッキングエラー信号が生成されるように調整すればよい。
【００２５】
本発明に基づく光記録媒体を製造する方法は、
−  基板上に、少なくとも記録層を付着させるステップと、
−  記録層上に、少なくともカバー層を付着させるステップと、
−  記録領域の外に、１つまたはいくつかのトラック螺旋または同心トラックの上にだけ延びるトラッキング用のガイド構造を形成するステップと
を有する。
【００２６】
上記の製造方法を実現するため、光記録媒体を製造する装置は、
−  基板上に、少なくとも記録層を付着させる手段と、
−  記録層上に、少なくともカバー層を付着させる手段と、
−  記録領域の外に、１つまたはいくつかのトラック螺旋または同心トラックの上にだけ延びるトラッキング用のガイド構造を形成する手段と
を有する。
【００２７】
記録層は、スパッタリング、スピンコーティングまたは他の知られている工程によって付着させると都合がよい。同様に、カバー層は、スピンコーティングまたはフラッディング（ｆｌｏｏｄｉｎｇ）などによって付着させると有利である。この製造方法は、製造上の既存の解決策をわずかに変更することによって容易に実現することができる。トラッキング用のガイド構造が、１つまたはいくつかのトラック螺旋または同心トラックの上にだけ延びることを保証するだけで十分である。
【００２８】
有利には、このガイド構造が、カバー層を付着させる前に成形する（ｍｏｌｄｉｎｇ）ことによって、またはカバー層を付着させる前もしくは付着させた後にピット列を記録することによって形成される。
【００２９】
成形は、記録可能媒体の生産時の通常の製造ステップであるため、追加の製造ステップを必要としないという利点を有する。トラッキング用のガイド構造が、記録領域の外の１つまたはいくつかのトラック螺旋または同心トラックの上にだけ延びるように、型（ｍｏｌｄ）を変更するだけで十分である。他方、カバー層を付着させる前または付着させた後にピット列を記録することは、書込み方針を変えることによって、記録されるピット列の特性を調整することができるため、異なるタイプの記録媒体に対して製造工程を変更するより大きな自由を提供する。
【００３０】
好都合には、ピット列が、トラッキングアクチュエータを使用し、トラッキングアクチュエータのトラッキングコイルに電圧ランプ（ｖｏｌｔａｇｅ  ｒａｍｐ）を印加することによって記録され、この電圧ランプが、光記録媒体の回転中に連続的に増大し、この電圧ランプが、光記録媒体が完全に１回転した後に、トラッキングアクチュエータが、光記録媒体上の記録光ビームを、トラックピッチの量だけ移動させているように選択される。
【００３１】
このようにして、記録後に、記録領域内の２つのトラック間の距離が正確に１トラックピッチであることが保証され、その結果、記録後の媒体は適用可能な仕様を満たす。
【図面の簡単な説明】
【００３２】
よりいっそう理解できるように、以下の説明では、図を参照して本発明をより詳細に説明する。本発明はこの例示的な実施形態に限定されないこと、および添付の特許請求の範囲に定義された本発明の範囲から逸脱することなく、本明細書に記載された諸特徴を適宜に組み合わせ、かつ／または変更することもできることが理解される。
【図１】光記録媒体から読み取るためのピックアップを概略的に示す図である。
【図２】事前記録光記録媒体上でのＤＰＤトラッキングの原理を示す図である。
【図３】事前記録光記録媒体上での３ビームトラッキングの原理を示す図である。
【図４】知られている記録可能光記録媒体のランド／グルーブ構造を示す図である。
【図５】本発明に基づく光記録媒体の上面図である。
【図６】図５の光記録媒体の断面を示す図である。
【図７】本発明に基づく光記録媒体上にトラック螺旋を生成するためにトラッキングアクチュエータに印加する電圧を示す図である。
【図８】本発明に基づく光記録媒体を走査しているときの図１のピックアップを示す図である。
【図９】記録可能領域を有する事前記録光記録媒体の表面を示す図である。
【図１０】記録可能領域を有する別の事前記録光記録媒体の表面を示す図である。
【発明を実施するための形態】
【００３３】
図１に、光記録媒体１０から読み取るためのピックアップ１を概略的に示す。レーザダイオード２は直線偏光ビーム３を放出し、直線偏光ビーム３は回折格子４を通過する。回折格子４は、０次の主光ビーム３に加えて、２つの１次副ビーム（図示せず）を生成する。これらの副ビームは３ビームトラッキングに使用される。主光ビーム３および副ビーム光ビームは偏光ビームスプリッタキューブ（ｐｏｌａｒｉｚａｔｉｏｎ  ｂｅａｍ  ｓｐｌｉｔｔｅｒ  ｃｕｂｅ）５を通過し、コリメータレンズ６によって平行化される。ミラー７は、平行化された光ビームを１／４波長板８に向かって導き、１／４波長板８は、光ビーム３を円偏光ビームに変換する。最後に、対物レンズ９が、光ビームを光記録媒体１０上へ集束させる。光記録媒体１０によって反射された光ビーム１１は対物レンズ９によって平行化され、１／４波長板８を通過し、１／４波長板８は、反射された光ビーム１１を直線偏光ビーム１１に変換する。１／４波長板８を通過するため、反射された光ビーム１１の偏光方向は、最初の光ビームの偏光方向に対して垂直である。したがって、反射された光ビーム１１は、偏光ビームスプリッタキューブ５によって集束レンズ１２に向かって偏向され、集束レンズ１２は、反射された光ビーム１１を検出器１３上に集束させる。検出器１３は、データ信号に加えてトラッキングエラー信号および焦点合わせエラー信号を生成する複数の検出領域１３１、１３２、１３３を有する。
【００３４】
図２は、事前記録光記録媒体の典型的な構造を示す。見て分かるとおり、事前記録光記録媒体は、事前に記録されたピットによって形成された複数のデータトラック１００を有する。このような構造に対しては通常、いわゆるＤＰＤ（ｄｉｆｆｅｒｅｎｔｉａｌ  ｐｈａｓｅ  ｄｅｔｅｃｔｉｏｎ）トラッキング法が使用される。この目的のためには、１つのトラック１００を走査する単一の光スポット３０が必要である。
【００３５】
対照的に、３ビームトラッキング法は、隣接する３つのトラックを照らす３つの光スポット３０、３１、３１’を利用する。この方法を図３に概略的に示す。主光ビーム３０はトラック１００上に位置する。２つの副ビーム３１、３１’は、それらの副ビームが、主光ビーム３０が走査するトラック１００を部分的にしか照らさないように、主光ビーム３０に対してずらして配置される。反射された副ビーム３１、３１’は、光検出器１３の別々の検出素子によって検出される。トラック１００の反射率は、トラック１００間の領域の反射率とは異なるため、トラック１００に対する副ビーム３１、３１’の変位は、光検出器１３の別々の検出素子によって検出される強度の変化として現れる。強度のこの変化がトラッキングに使用される。
【００３６】
記録可能光記録媒体の場合には事前に記録されたピットが存在しない。トラッキングを可能にするため、通常は、記録層にランド／グルーブ構造が提供される。図４は、知られている記録可能光記録媒体１０のこのようなランド／グルーブ構造を示す。見て分かるとおり、複数のグルーブ１０１がランド１０２間に配置されている。
【００３７】
以下では、約６５０ｎｍの波長で読み取られるＤＶＤのような光記録媒体に関して本発明を説明する。当然ながら、本発明の全般的な着想は、他のタイプの光記録媒体にも適用可能である。
【００３８】
図５に、本発明に基づく光記録媒体１０の上面図を概略的に示す。この光記録媒体は、成形されたピットまたはグルーブからなる特別に成形されたガイド構造１５を、記録領域１６の外に有する。ガイド構造１５は、１つまたは複数の完全なトラック螺旋または同心トラックの上に延びる。有利には、ガイド構造１５が、リードイン領域１４の前またはリードイン領域１４の始めに位置する。記録領域１６はガイド構造１５を持たない。
【００３９】
製造工程中にガイド構造１５を成形する他に、記録工程を使用してガイド構造１５を生成することも同様に可能である。この場合には、ピット列を記録するために精密なレコーダが使用される。記録中、連続的に増大するランピング電圧（ｒａｍｐｉｎｇ  ｖｏｌｔａｇｅ）をトラッキングアクチュエータに印加する。このランピング電圧は、光記録媒体１０が完全に１回転した後に、トラッキングアクチュエータが、光記録媒体１０上の記録光ビームを、正確にトラックピッチの量だけ移動させているように選択される。あるいは、ピット列の記録中に、記録ピックアップの精密移動を実行する。この場合、トラッキングアクチュエータを移動させる代わりに、ピックアップ全体を移動させる。
【００４０】
図６は、図５の光記録媒体１０の断面を示す。光記録媒体１０は、基板１０３、反射層１０４、記録層１０５およびカバー層１０６を有する。当然ながら、必要に応じて追加の層を提供することもできる。さらに、反射層１０４を記録層１０５の一部とすることもできる。見て分かるとおり、ガイド構造１５は、１つまたは複数の完全なトラック螺旋または同心トラックの上にだけ延びる。
【００４１】
図７の上部に、このようなランピング電圧を示す。図７の下部は、光記録媒体の新たな回転の開始を指示するトリガ信号を示す。１回転の終わりの電圧差Δｖは、所望のトラックピッチとアクチュエータ感度とによって、Δｖ＝トラックピッチ／アクチュエータ感度として与えられる。
【００４２】
図８は、図５の光記録媒体１０を走査している最中の本発明に基づくピックアップ１を示す。ピックアップ１は、実質的に図１のピックアップ１に対応する。しかしながら、トラッキングに対して、ピックアップ１は、３ビームトラッキングとＤＰＤトラッキングの組合せを使用する。副ビーム３１、３１’による記録を防ぐため、格子４は、副ビーム３１、３１’の強度が、記録するには小さすぎることを保証するアスペクト比、例えばアスペクト比Ｉ１：Ｉ０＝１：１７を有する。ここで、Ｉ１およびＩ０はそれぞれ、副ビーム３１、３１’および主光ビーム３０の強度である。格子４は、光記録媒体１０上における主光ビーム３０と副ビーム３１、３１’の間の距離が、正確に１トラックピッチ、すなわちＤＶＤの場合には０．７４μｍとなるように調整される。同様に、この距離を１トラックピッチの整数倍とすることもできる。図７の左側の副ビーム３１は検出器Ａ１〜Ｄ１に入射し、図８の右側の副ビーム３１’は検出器Ａ２〜Ｄ２に入射すると仮定する。右側の副ビーム３１’は、光記録媒体１０の鏡面上を移動しているため、検出器Ａ２〜Ｄ２の和信号を使用して正規化することができる。左側の副ビーム３１は、ガイド構造１５上または既に記録されたピット上に入射し、この副ビームを使用して、下式のようなトラッキング信号が生成される。
【００４３】
【数１】
0005519673.tif 000002
言い換えると、ランド／グルーブ構造が存在しないため、データの記録中、本発明は、既に記録されたデータをトラッキングに利用する。
【００４４】
追加の記録可能領域１８を有するＤＶＤのような知られている事前記録光記録媒体の表面の写真を図９に示す。第１の領域１７は、ピットの形態の事前に記録されたデータを含む。記録可能な第２の領域１８は、記録工程中のトラッキングを可能にするランド／グルーブ構造を有する。一部のレコーダは、ランド／グルーブ構造があると再生を拒むため、この事前記録媒体は、既存のレコーダには完全には適合しない欠点を有する。
【００４５】
事前に記録された領域１７と記録可能領域１６とを有する本発明に基づく光記録媒体の表面の写真を図１０に示す。記録可能領域１６はトラッキング構造を持たない。その代わりに、事前に記録された領域１７の事前に記録されたデータ、または記録可能領域１６の既に記録されたデータがトラッキングに使用される。この図には、追加の記録可能領域１９が示されている。この領域は、波長４０５ｎｍで記録するときに使用される特殊なトラッキング構造を含む。
（付記１）
単一の記録領域（１６）と、１つまたはいくつかのトラック螺旋または同心トラックの上にだけ延びるトラッキング用のガイド構造（１５）とを含む記録層（１０５）を少なくとも備える光記録媒体（１０）であって、前記ガイド構造（１５）は、前記記録領域（１６）の外に位置することを特徴とする光記録媒体（１０）。
（付記２）
前記ガイド構造（１５）は、リードイン領域（１４）の前またはリードイン領域（１４）の始めに位置することを特徴とする付記１に記載の光記録媒体（１０）。
（付記３）
前記ガイド構造（１５）はランド／グルーブ構造であり、または事前に記録されたピットを含むことを特徴とする付記１または２に記載の光記録媒体（１０）。
（付記４）
単一の記録領域（１６）とトラッキング用のガイド構造（１５）とを含む光記録媒体（１０）を製造する方法であって、
基板（１０３）上に、少なくとも、前記単一の記録領域（１６）を含む記録層（１０５）を付着させるステップと、
前記記録層（１０５）上に、少なくともカバー層（１０６）を付着させるステップと、
前記単一の記録領域（１６）の外に、１つまたはいくつかのトラック螺旋または同心トラックの上にだけ延びるトラッキング用のガイド構造（１５）を形成するステップと
を有することを特徴とする方法。
（付記５）
前記ガイド構造（１５）は、リードイン領域（１４）の前またはリードイン領域（１４）の始めに形成されることを特徴とする付記４に記載の方法。
（付記６）
前記ガイド構造（１５）は、前記カバー層（１０６）を付着させる前に成形することによって、または前記カバー層（１０６）を付着させる前もしくは付着させた後にピット列を記録することによって形成されることを特徴とする付記４または５に記載の方法。
（付記７）
前記ピット列は、トラッキングアクチュエータを使用し、前記トラッキングアクチュエータのトラッキングコイルに電圧ランプを印加することによって記録され、前記電圧ランプは、前記光記録媒体（１０）の回転中に連続的に増大し、前記電圧ランプは、前記光記録媒体（１０）が完全に１回転した後に、前記トラッキングアクチュエータが、前記光記録媒体（１０）上の記録光ビームを、トラックピッチの量だけ移動させているように選択されることを特徴とする付記６に記載の方法。
（付記８）
単一の記録領域（１６）とトラッキング用のガイド構造（１５）とを含む光記録媒体（１０）を製造する装置であって、
−  基板（１０３）上に、少なくとも、前記単一の記録領域（１６）を含む記録層（１０５）を付着させる手段と、
−  前記記録層（１０５）上に、少なくともカバー層（１０６）を付着させる手段と、
−  前記単一の記録領域（１６）の外に、１つまたはいくつかのトラック螺旋または同心トラックの上にだけ延びるトラッキング用のガイド構造（１５）を形成する手段と
を有することを特徴とする装置。
（付記９）
前記ガイド構造（１５）を形成する前記手段は、前記カバー層（１０６）を付着させる前に前記ガイド構造（１５）を成形する成形手段、または前記カバー層（１０６）を付着させる前もしくは付着させた後にピット列を記録するレコーダであることを特徴とする付記８に記載の装置。
（付記１０）
付記１に記載の光記録媒体（１０）に書き込む方法であって、
−  少なくとも、主光ビーム（３０）と、前記主光ビーム（３０）に結合された別の光ビーム（３１）とを生成するステップと、
前記別の光ビーム（３１）で前記ガイド構造（１５）を照らすステップと、
前記ガイド構造（１５）によって反射された前記別の光ビーム（３１）の割合から、前記主光ビーム（３０）に対するトラッキングエラー信号を生成するステップと、
書き込まれたデータが前記ガイド構造（１５）の続きを形成するような方式で、前記主光ビーム（３０）を用いて前記光記録媒体（１０）にデータを書き込むステップと
を有することを特徴とする方法。
（付記１１）
前記光記録媒体（１０）上における前記主光ビーム（３０）と前記別の光ビーム（３１）の間の距離は、１トラックピッチの整数倍であることを特徴とする付記１０に記載の方法。
（付記１２）
付記１に記載の光記録媒体（１０）に書き込む装置であって、
少なくとも、主光ビーム（３０）と、前記主光ビーム（３０）に結合された別の光ビーム（３１）とを生成する手段（２、４）と、
前記別の光ビーム（３１）で前記ガイド構造（１５）を照らす手段（９）と、
前記ガイド構造（１５）によって反射された前記別の光ビーム（３１）の割合から、前記主光ビーム（３０）に対するトラッキングエラー信号を生成する手段（１３１、１３３）と、
書き込まれたデータが前記ガイド構造（１５）の続きを形成するような方式で、前記主光ビーム（３０）を用いて前記光記録媒体（１０）にデータを書き込む手段（２、９）と
を有することを特徴とする装置。
（付記１３）
前記光記録媒体（１０）上における前記主光ビーム（３０）と前記別の光ビーム（３１）の間の距離は、１トラックピッチの整数倍であることを特徴とする付記１２に記載の装置。
（付記１４）
単一の記録領域（１６）とトラッキング用のガイド構造（１５）とを含む光記録媒体（１０）を製造する装置用の型であって、前記光記録媒体（１０）は、前記単一の記録領域（１６）の外の１つまたはいくつかのトラック螺旋または同心トラックの上にだけ延びるトラッキング用のガイド構造（１５）を有することを特徴とする型。
【図１】
0005519673.tif 000003
【図２】
0005519673.tif 000004
【図３】
0005519673.tif 000005
【図４】
0005519673.tif 000006
【図５】
0005519673.tif 000007
【図６】
0005519673.tif 000008
【図７】
0005519673.tif 000009
【図８】
0005519673.tif 000010
【図９】
0005519673.tif 000011
【図１０】
0005519673.tif 000012